(57)【要約】【課題】氷点下等の環境下においても、釣り糸ガイドに付着した水分によって釣り糸ガイドに対して釣り糸の動きが悪くなるのを防止し、釣り糸ガイドに対して釣り糸をスムースに動かすことができる釣り具を提供すること。【解決手段】釣り具２は、釣り竿３に設けた釣り糸ガイド８３を電気によって発熱する発熱体で形成し、前記釣り竿の前記釣り糸ガイドに送電するための送電部８１ｂを設けた。【選択図】    図７
2010220580.tif 000002
【特許請求の範囲】
【請求項１】
釣り竿に設けた釣り糸ガイドを電気によって発熱する発熱体で形成し、前記釣り竿の前記釣り糸ガイドに送電するための送電部を設けたことを特徴とする釣り具。
【請求項２】
前記送電部は、前記釣り竿の表面に添設され、かつ、絶縁層で覆われていることを特徴とする請求項１に記載の釣り具。
【請求項３】
前記釣り竿は、その後端部が釣り用リールに設けた装着孔に着脱可能に嵌合され、
前記釣り竿と前記リールとが嵌合された時に前記リールを介して通電する給電接続部を有していることを特徴とする請求項１もしくは請求項２に記載の釣り具。
【発明の詳細な説明】
【技術分野】
【０００１】
この発明は、例えば気温の低い環境下でも使い勝手良く使用可能な釣り具に関する。
【背景技術】
【０００２】
ワカサギ釣りの穴釣り等、氷点下等の気温の低い環境下で釣りを行うことがある。  
気温の低い環境下で使用するのが好適な釣り具としては、釣り竿の柄の部分に電気コイルを設けてその部分を暖めることができるようにした釣り竿（例えば特許文献１）がある。  
また、形状記憶合金を配した釣り竿内部にヒータを設けて、竿のしなりの調子を変えられるようにした釣り竿（例えば特許文献２）がある。
【先行技術文献】
【特許文献】
【０００３】
【特許文献１】特開２０００−４１５３７号公報
【特許文献２】特開平１−１８７０４０号公報
【発明の概要】
【発明が解決しようとする課題】
【０００４】
ワカサギ釣りの穴釣り等、気温の低い環境で釣りを行うと、仕掛けの上げ下ろしにより釣り糸に付着した水分が釣り糸ガイドに付着して、その付着した水分が釣り糸ガイドに凍り付いてしまうことがある。この場合、釣り糸ガイドを通過する釣り糸の動きが鈍くなったり凍って動かなくなることがある。これに対して、釣り人は釣り糸ガイドに氷が付着するたびに氷を手で剥がし落とすなどの対応を取りながら釣りをしている。
【０００５】
特許文献１の釣り具は、釣り竿の柄の部分を温めることができるだけで、釣り糸ガイドに付着した水分が凍ることを防止することはできない。また、特許文献２の釣り具は、釣り竿のしなりの調子を変えることができるに過ぎない。
【０００６】
この発明は、このような課題を解決するためになされたものであり、氷点下等の環境下においても、釣り糸ガイドに付着した水分によって釣り糸ガイドに対して釣り糸の動きが悪くなるのを防止し、釣り糸ガイドに対して釣り糸をスムースに動かすことができる釣り具を提供することを目的とする。
【課題を解決するための手段】
【０００７】
この発明に係る釣り具は、釣り竿に設けた釣り糸ガイドを電気によって発熱する発熱体で形成し、前記釣り竿の前記釣り糸ガイドに送電するための送電部を設けたことを特徴とする。  
また、前記送電部は、前記釣り竿の表面に添設され、かつ、絶縁層で覆われていることが好ましい。  
また、前記釣り竿は、その後端部が釣り用リールに設けた装着孔に着脱可能に嵌合され、前記釣り竿と前記リールとが嵌合された時に前記リールを介して通電する給電接続部を有していることが好ましい。
【発明の効果】
【０００８】
この発明に係る釣り具は、釣り糸ガイドを電気によって発熱する発熱体で形成することによって、釣り竿の釣り糸ガイドに付着した水分の凍り付きを防止でき、又は、凍り付いた水分を溶融させることができる。このため、釣り糸ガイドを通過する釣り糸の動きが水分が凍り付くことによって悪くなることを防止することができ、釣り糸ガイドが凍るような環境に釣り具を配置しても、スムースに釣りを行うことが出来る。  
送電部を絶縁層で覆うことによって、釣り人が感電したり、送電部が錆付いたりすることを防止することができる。  
発熱体を電気によって発熱させる場合、リールから給電することができるので、リールとは別に電源を用意することなく（リールに電源を配すれば）、簡単に釣り竿の釣り糸ガイドを発熱させることができる。
【図面の簡単な説明】
【０００９】
【図１】本発明の第１の実施の形態において、釣り竿および魚釣用リールを有する釣り具のリールを台の上に置いて使用している状態を、図２に示す矢印ＩＩ側から見た状態を示す側面図。
【図２】第１の実施の形態において、釣り竿および魚釣用リールを有する釣り具のリールを、図１に示す矢印Ｉ側から見た状態を示す上面図。
【図３】第１の実施の形態に係る釣り具の魚釣用リールの図２に示すＩＩＩ−ＩＩＩ線に沿う縦断面図。
【図４】第１の実施の形態に係る釣り具の魚釣用リールの図３に示すＩＶ−ＩＶ線に沿い、切り換えレバーが第１の切り換え位置に回動された状態を示す横断面図。
【図５】第１の実施の形態に係る釣り具の魚釣用リールの図３に示すＩＶ−ＩＶ線に沿い、切り換えレバーが第２の切り換え位置に回動された状態を示す横断面図。
【図６】第１の実施の形態に係る釣り具の魚釣用リールの図３に示すＩＶ−ＩＶ線に沿い、切り換えレバーが第３の切り換え位置に回動された状態を示す横断面図。
【図７】（Ａ）は第１の実施の形態に係る釣り具の釣り竿の構造を示す概略的な部分断面図、（Ｂ）は図７（Ａ）に示す釣り竿を魚釣用リールに嵌合した状態を示す概略的な縦断面図。
【図８】第１の実施の形態に係る釣り具の釣り竿を魚釣用リールに嵌合する状態を示す概略的な部分断面図。
【図９】第１の実施の形態に係る釣り具の魚釣用リールの切り換えレバーによりトルク伝達部材が押し下げられて、トルク伝達部材がスプールから切り離された状態を示す縦断面図。
【図１０】第１の実施の形態に係る釣り具の魚釣用リールの筐体の前端に位置する釣糸ガイドに釣り糸上のストッパが引っ掛かった状態を示す縦断面図。
【図１１】第１の実施の形態に係る釣り具の回路図。
【図１２】（Ａ）は本発明の第２の実施の形態に係る釣り具の釣り竿の構造を示す概略的な側面図、（Ｂ）は図１２（Ａ）に示す釣り竿を魚釣用リールに嵌合した状態を示す概略的な縦断面図。
【発明を実施するための形態】
【００１０】
以下、図面を参照しながらこの発明を実施するための形態について説明する。  
ここでは、第１の実施の形態として、ワカサギ釣り等に使用する釣り竿３と魚釣用電動リール４とを組み合わせて用いる釣り具２について図１から図１１を用いて説明する。
【００１１】
図１に示すように、例えば結氷した湖面ＬＳに穴Ｈを開けてワカサギを釣る、いわゆる穴釣りでは、結氷した湖面ＬＳの上に釣り用の台１を据え付けている。釣り人は、台１の載置面としての平坦な上面１ａの上に、釣り竿３と魚釣用リール４とを有する釣り具２（図１および図２参照）の魚釣用リール４を置くとともに、この魚釣用リール４を右手ＲＨ又は左手（図示せず）で掴んで操作することによりワカサギを釣り上げる。
【００１２】
図１から図３に示すように、魚釣用リール４は、その外郭を構成する筐体６を有している。筐体６は、例えばＡＢＳ樹脂、ポリカーボーネートのような合成樹脂材料により形成されている。筐体６は、偏平な箱形であり、釣り人が右手ＲＨ又は左手で掴むことができる程度の大きさを有している。なお、筐体６の前後方向は、後述する上面６ａに手を置いたときに前方側が指先側となり、後方側が手首側となる。また、筐体６の左右方向は、右手ＲＨを上面６ａに手を置いたときに親指ＲＨ１側が左側となり、小指ＲＨ５側が右側となる。
【００１３】
図３に示すように、筐体６は、ロアケース７と、筐体６の上面６ａを構成するトップカバー８とで構成されている。  
ロアケース７は、底壁９と、底壁９の左右の側縁から起立する側壁１０ａ，１０ｂ（図４から図６参照）と、底壁９の前端から立ち上がる前壁１１と、底壁９の後端から立ち上がる後壁１２とを有している。例えば筐体６を右手ＲＨで掴んだとき、筐体６の左側の側壁１０ａには親指ＲＨ１が宛がわれ、筐体６の右側の側壁１０ｂには薬指ＲＨ４および小指ＲＨ５が宛がわれる。  
トップカバー８は、底壁９と向かい合うようにロアケース７に被せられ、ネジ止めあるいは嵌め込み等の手段によりロアケース７に固定されている。トップカバー８の外周縁は、側壁１０ａ，１０ｂの上縁、前壁１１の上縁および後壁１２の上縁に連続している。そして、トップカバー８は、ロアケース７との間にモータ収容室１３を規定している。
【００１４】
ロアケース７の底壁９にはバッテリ収容部１４が形成されている。バッテリ収容部１４は、モータ収容室１３内に張り出すとともに、ロアケース７の下方に開口する凹みで構成されている。バッテリ収容部１４の開口端は、取り外し可能なバッテリカバー１５で閉じられている。ロアケース７の底壁９には、筐体６を台１の上に置いたときに、台１の上面１ａに接触する接地部として機能する１対の脚（前側脚および後側脚）１６ａ，１６ｂを有している。
【００１５】
図１および図２に示すように、筐体６の上面６ａは、釣り人が魚釣用リール４を操作する際に右手ＲＨ又は左手を載せる部分であって、筐体６の上方に露出している。上面６ａは、後側領域１７、前側領域１８およびこれらの間の中間部１９を有している。筐体６の上面６ａは、前側および後側から中間部１９に向けて滑らかな円弧を描いて盛り上がっているとともに、左側および右側から中間部１９に向けて滑らかな円弧を描いて盛り上がっている。このため、筐体６は、例えばコンピュータ用の代表的なポインティングデバイスであるマウスのような外観形状を有している。
【００１６】
トップカバー８は、円形の開口部２１を有している。開口部２１は、前側領域１８の前半部分の略中央部に位置している。前側領域１８のうち開口部２１の左側に位置する部分は、釣り人が例えば右手ＲＨの人差し指ＲＨ２で人為的に操作するスイッチ操作子の一例である第１の指置部（第１の操作体）２２ａとなっている。同様に、前側領域１８のうち開口部２１の右側に位置する部分は、釣り人が例えば右手ＲＨの中指ＲＨ３で人為的に操作するスイッチ操作子の一例である第２の指置部（第２の操作体）２２ｂとなっている。第１および第２の指置部２２ａ，２２ｂは、開口部２１を間に挟んで筐体６の左右方向に振り分けられている。
【００１７】
図１に示すように、左側の第１の指置部２２ａの前端、右側の第２の指置部２２ｂの前端は、下向きに湾曲してロアケース７の前壁１１の上端と向かい合っている。第１の指置部２２ａの前端と前壁１１の上端との間、第２の指置部２２ｂの前端と前壁１１の上端との間には図示しない隙間が形成されている。したがって、例えば右手ＲＨの人差し指ＲＨ２で第１の指置部２２ａを下向きに押圧すると、トップカバー８が形成される素材が有する可撓性（弾性力）により、第１の指置部２２ａが隙間の分だけ沈み込むように弾性変形する。第１の指置部２２ａの押圧を解除すると、第１の指置部２２ａが元の位置に弾性的に復帰する。この結果、第１の指置部２２ａの前端と前壁１１の上端との間に再び隙間が生じる。同様に、例えば右手ＲＨの中指ＲＨ３で第２の指置部２２ｂを下向きに押圧すると、第２の指置部２２ｂが隙間の分だけ沈み込むように弾性変形する。第２の指置部２２ｂの押圧を解除すると、第２の指置部２２ｂが元の位置に弾性的に復帰する。この結果、第２の指置部２２ｂの前端と前壁１１の上端との間に再び隙間が生じる。
【００１８】
図７および図８に示すように、筐体６のロアケース７の前端部には合成樹脂製の支持台２６がネジ止め等により固定されている。支持台２６は、竿受け部２７とスプール受け部２８とを備えている。  
図８に示すように、竿受け部２７は、筐体６の前端の左右方向中央部に位置している。図７に示すように、竿受け部２７は、筐体６の前方に向けて開口する支持孔（釣り竿装着孔）２９を有するとともに、釣り糸ガイド３０を支持している。また、竿受け部２７と筐体６の前壁１１との間には、常閉形の船べり停止スイッチ３１が配置されている。
【００１９】
図７および図８に示すように、竿受け部２７の支持孔２９には釣り竿３の基端の後述する筒状の嵌合突部８２が着脱可能に嵌合される。嵌合突部８２と竿受け部２７の支持孔２９とは、円形でない形状（例えばＤ形状等）であることが好ましい。この場合、釣り竿３を魚釣用リール４に取り付ける際に、所定の向きに取り付けることができる。  
支持孔２９の例えば最奥部には１対の端子（給電接続部）２９ａが並設されている。これら端子２９ａは、魚釣用リール４の後端側に向けて延出されている。なお、これら端子２９ａの電気的接続状態については後述する（図１１参照）。
【００２０】
釣り糸ガイド３０は、竿受け部２７の上方に突出するように垂直に起立する待機位置（図９参照）と、この待機位置から筐体６の後方に倒れ込む動作位置（図１０参照）との間で回動可能であり、通常は待機位置に保持されている。船べり停止スイッチ３１は、筐体６の前端に位置する釣り糸ガイド３０と対向している。船べり停止スイッチ３１は、釣り糸ガイド３０が待機位置にあるときに閉状態を保ち、釣り糸ガイド３０が待機位置から動作位置に回動されたときに、釣り糸ガイド３０によって開方向に操作される。なお、船べり停止スイッチ３１の電気的接続状態については後述する（図１１参照）。
【００２１】
図３に示すように、支持台２６のスプール受け部２８は、トップカバー８の開口部２１の下方で水平に配置されている。スプール受け部２８の外周縁部には円筒状の起立壁３２が形成されている。起立壁３２の上端は、開口部２１を取り囲むようにトップカバー８の下面に突き当たって、トップカバー８とスプール受け部２８との間を結んでいる。
【００２２】
ロアケース７の底壁９にはスプール軸３３が支持されている。スプール軸３３は、底壁９から垂直に起立するとともに、スプール受け部２８を貫通してスプール受け部２８の上に突出している。スプール軸３３の上部には合成樹脂材又は金属材製のスプール３４が回転可能に支持されている。スプール３４は、筐体６の前部において、筐体６の上面６ａの前方側の左右方向の中央部に位置している。  
スプール３４は、釣り糸３５が巻き付けられる釣糸巻回胴部３６と、１対のフランジ３７ａ，３７ｂとを備えており、垂直なスプール軸３３を中心として回転する。フランジ３７ａ，３７ｂは、釣糸巻回胴部３６と同軸の円盤状をなすとともに、釣糸巻回胴部３６を間に挟んで上下方向に向かい合っている。一方のフランジ３７ａは、他方のフランジ３７ｂよりも大径であり、この大径のフランジ３７ａがスプール受け部２８の上面に載置されている。すなわち、大径のフランジ３７ａが下側となるようにスプール３４が配置される。  
スプール軸３３は、釣糸巻回胴部３６を同軸状に貫通して他方のフランジ３７ｂの上に突出している。スプール軸３３の上端には袋ナット３８がねじ込まれている。袋ナット３８は、スプール受け部２８との間でスプール３４を挟み込んでおり、これによりスプール３４が筐体６の前部に回転自在に支持されている。  
スプール３４は、トップカバー８の開口部２１の内側に位置している。スプール３４の上端に位置する他方のフランジ３７ｂは、開口部２１を通じて筐体６の前側領域１８に露出している。さらに、図１および図３に示すように、第１および第２の指置部２２ａ，２２ｂは筐体６の中間部１９から前方側（前側領域１８側）に進むに従って下向きに傾斜するので、スプール３４のフランジ３７ｂは、第１および第２の指置部２２ａ，２２ｂの上方に張り出している。ここでは、スプール３４の上端に位置する他方のフランジ３７ｂが、筐体６の上面６ａから僅かに突出している。なお、図２に示すように、スプール３４は、人差し指ＲＨ２と中指ＲＨ３との間に配置される。
【００２３】
図３に示すように、筐体６のモータ収容室１３にはモータ４４が収容されている。モータ４４は、出力軸４６を筐体６の前後方向に沿わせた横置きの姿勢でスプール３４の後方に設置されている。モータ４４の出力軸４６は、スプール軸３３の直後に位置するとともに、このスプール軸３３と直交するような位置関係を保っている。出力軸４６の前端部は、スプール３４の一方のフランジ３７ａの下方に位置している。  
出力軸４６の外周には円筒状のトルク伝達部材４７が取り付けられている。トルク伝達部材４７は、例えばスプール３４よりも柔らかい合成樹脂材又はゴム状弾性体により形成されている。図３に示す状態では、トルク伝達部材４７の外周面は、スプール３４のフランジ３７ａの下面に接している。
【００２４】
モータ４４は、ロアケース７に固定された軸受部４９に支持されたピボット軸４８を有している。ピボット軸４８は、モータ４４の後端に位置するとともに、出力軸４６と直交するように筐体６の左右方向に沿って水平に延びている。そして、モータ４４は、ピボット軸４８を支点として、第１の位置（図３参照）と第２の位置（図９参照）との間で回動可能である。なお、モータ４４は、引っ張りコイルスプリング５０を介して常に第１の位置に向けて弾性的に付勢されている。  
第１の位置では、図３に示すようにモータ４４の出力軸４６が筐体６の前後方向に沿って水平に延びており、トルク伝達部材４７の外周面がスプール３４のフランジ３７ａの下面に当接している。このように当接していることにより、フランジ３７ａとトルク伝達部材４７との当接部分に摩擦抵抗が付与される。この結果、摩擦抵抗によりスプール３４の自由な回転が阻止される。さらに、モータ４４が駆動されると、出力軸４６のトルクがトルク伝達部材４７を介してスプール３４に伝わり、スプール３４が釣り糸３５を巻き取る方向に回転する。  
一方、第２の位置では、図９に示すようにモータ４４の出力軸４６が前下がりとなって、トルク伝達部材４７の外周面がスプール３４のフランジ３７ａの下面から離れている。これにより、モータ４４の出力軸４６とスプール３４との機械的な接続が解除され、トルク伝達部材４７とスプール３４との間に摩擦抵抗が付与されることはない。よって、スプール３４は、釣り糸３５を巻き取る方向および繰り出す方向の自由な回転が許容されるフリーな状態に移行する。  
なお、モータ４４が引っ張りコイルスプリング５０を介して常に第１の位置に向けて弾性的に付勢されていることから、モータ４４が第１の位置にある限り、トルク伝達部材４７の外周面がスプール３４のフランジ３７ａの下面に弾性的に押し付けられる。
【００２５】
筐体６のバッテリ収容部１４にはモータ４４の駆動用電源となる例えば２本の乾電池５２ａ，５２ｂが収容されている。図１１に示すように、乾電池５２ａ，５２ｂの正極にはそれぞれ正側電源ライン５３ａ，５３ｂが接続されている。正側電源ライン５３ａ，５３ｂは、正側共通電源ライン５４を介してモータ４４の正側端子に接続されている。なお、常閉形の船べり停止スイッチ３１は正側共通電源ライン５４に接続されている。  
乾電池５２ａ，５２ｂの負極にはそれぞれ負側電源ライン５５ａ，５５ｂが接続されている。負側電源ライン５５ａ，５５ｂは、負側共通電源ライン５６を介してモータ４４の負極端子に接続されている。そのため、各電源ライン５３ａ，５３ｂ，５４，５５ａ，５５ｂ，５６は、モータ４４を乾電池５２ａ，５２ｂに並列に接続する一つの電源回路５７を構成している。
【００２６】
正側電源ライン５３ａ，５３ｂと正側共通電源ライン５４との間には常開形の連続巻きスイッチ５８が接続されている。一方の正側電源ライン５３ａと正側共通電源ライン５４との間に常開形の第１の一時巻きスイッチ５９ａが接続されている。同様に、他方の正側電源ライン５３ｂと正側共通電源ライン５４との間に常開形の第２の一時巻きスイッチ５９ｂが接続されている。
【００２７】
図４から図６に示すように、連続巻きスイッチ５８は、筐体６の内部に収容されている。図２に示すように、第１の一時巻きスイッチ５９ａは、筐体６の第１の指置部２２ａの下方に配置されて、第１の指置部２２ａによって開閉操作される。第２の一時巻きスイッチ５９ｂは、筐体６の第２の指置部２２ｂの下方に配置されて、第２の指置部２２ｂによって開閉操作される。すなわち、筐体６の上面６ａの前方（前側領域１８）側にはスプール３４を挟んでその両側にモータ４４の駆動スイッチ（押圧時のみモータを駆動する寸動スイッチ）５９ａ，５９ｂが設けられている。したがって、弾性変形が可能な第１および第２の指置部２２ａ，２２ｂは、第１および第２の一時巻きスイッチ５９ａ，５９ｂを個別に操作する機能を兼ねている。
【００２８】
負側共通電源ライン５６には常開形のメインスイッチ６１が配置されている。メインスイッチ６１は、筐体６の底壁９の下方に露出されて釣り人が手の指先で操作し得るようになっている。そのため、本実施の形態では、メインスイッチ６１を閉じた状態で連続巻きスイッチ５８又は第１および第２の一時巻きスイッチ５９ａ，５９ｂを閉じると、乾電池５２ａ，５２ｂからモータ４４に電流が流れ、モータ４４が回転する。  
モータ４４のトルクは、出力軸４６からトルク伝達部材４７に伝わる。トルク伝達部材４７は、引っ張りコイルスプリング５０の付勢力によりスプール３４のフランジ３７ａの下面に押し付けられているので、トルク伝達部材４７とフランジ３７ａとの間の接触部分に生じる摩擦力によりモータ４４のトルクがスプール３４に伝わる。この結果、連続巻きスイッチ５８、第１の一時巻きスイッチ５９ａおよび第２の一時巻きスイッチ５９ｂのいずれを閉じた場合でも、スプール３４はモータ４４のトルクを受けて釣り糸３５を巻き取る方向に回転する。
【００２９】
図４から図６に示すように、筐体６の中間部１９には合成樹脂製の切り換えレバー６３が配置されている。切り換えレバー６３は、釣人が右手ＲＨ等の指先で人為的に操作するスイッチ操作子の一例である。切り換えレバー６３は、軸部６３ａ、指掛け用の舌片部６４、およびカム部６５を備えている。  
図３に示すように、軸部６３ａは、筐体６の前後方向に水平に延びているとともに、スプール受け部２８の後端に形成されたブラケット６６と起立壁３２との間に回動可能に支持されている。図４から図６に示すように、軸部６３ａは、モータ４４の出力軸４６およびトルク伝達部材４７の真上に位置している。
【００３０】
舌片部６４は、筐体６の中間部１９とスプール３４との間に位置するとともに、トップカバー８に開けたスリット６７を貫通して筐体６の上面６ａの上に突出している。図２に示すように、舌片部６４は、釣り人が筐体６の上面６ａに右手ＲＨを載せたときに、人差し指ＲＨ２の付け根と中指ＲＨ３の付け根とで規定されるＶ形の隙間６８に位置するようになっている。  
本実施の形態では、筐体６の上面６ａのうち切り換えレバー６３が位置する部分は、スプール３４の上端に位置するフランジ３７ｂと同じ高さ位置、又はフランジ３７ｂよりも僅かに上方に位置している。
【００３１】
図４から図６に示すように、カム部６５は、外周縁部７０、第１のカムノーズ７１および第２のカムノーズ７２を備えている。外周縁部７０は、舌片部６４に対して軸部６３ａを間に挟んだ反対側に位置するとともに、軸部６３ａを中心とする円弧を描くように湾曲している。外周縁部７０は、トルク伝達部材４７の外周面との間に僅かな隙間を存してトルク伝達部材４７と向かい合っている。  
第１のカムノーズ７１は、外周縁部７０の一端に位置している。第１のカムノーズ７１は、連続巻きスイッチ５８と向かい合うように、外周縁部の一端から軸部６３ａの径方向外側に向けて突出している。第２のカムノーズ７２は、外周縁部７０の他端に位置している。第２のカムノーズ７２は、軸部６３ａを中心とする円弧を描くように湾曲しているとともに、外周縁部７０よりも軸部６３ａの径方向外側に僅かに張り出している。外周縁部７０と第２のカムノーズ７２との境界部分には、トルク伝達部材４７の外周面に沿うように湾曲する段差７３が形成されている。
【００３２】
切り換えレバー６３は、図４から図６に示すように、軸部６３ａを支点として第１から第３の切り換え位置Ｐ１，Ｐ２，Ｐ３のいずれかの位置に選択的に回動操作される。  
図４は、切り換えレバー６３が第１の切り換え位置Ｐ１に回動された状態を開示している。第１の切り換え位置Ｐ１では、切り換えレバー６３の舌片部６４が垂直に起立するとともに、カム部６５の段差７３がトルク伝達部材４７の外周面に突き当たっている。このとき、段差７３は、トルク伝達部材４７に対し単に上方から接しているだけであり、トルク伝達部材４７は、引っ張りコイルスプリング５０の付勢力を受けてスプール３４のフランジ３７ａに弾性的に押し付けられている。そのため、スプール３４は、フランジ３７ａとトルク伝達部材４７との間の接触部分に生じる摩擦抵抗により自由な回転が阻止されている。さらに、第１の切り換え位置Ｐ１では、第１のカムノーズ７１が連続巻きスイッチ５８から離れている。よって、連続巻きスイッチ５８は開状態を維持している。
【００３３】
図５は、切り換えレバー６３が第２の切り換え位置Ｐ２に回動された状態を開示している。第２の切り換え位置Ｐ２では、切り換えレバー６３の舌片部６４が筐体６の左側に倒されて、トルク伝達部材４７の外周面とカム部６５の外周縁部７０との接触位置が相対的に変化している。このとき、トルク伝達部材４７は、引っ張りコイルスプリング５０の付勢力を受けてスプール３４のフランジ３７ａに弾性的に押し付けられている。さらに、第２の切り換え位置Ｐ２では、切り換えレバー６３の第１のカムノーズ７１が連続巻きスイッチ５８に接触し、第１のカムノーズ７１によって連続巻きスイッチ５８が閉じられる。したがって、メインスイッチ６１が閉じているときに、切り換えレバー６３を指先で第２の切り換え位置Ｐ２に保持しておけば、乾電池５２ａ，５２ｂからモータ４４に電流が流れて、スプール３４が釣り糸３５を巻き取る方向に連続して回転される。
【００３４】
図６は、切り換えレバー６３が第３の切り換え位置Ｐ３に移動された状態を開示している。第３の切り換え位置Ｐ３では、切り換えレバー６３の舌片部６４が筐体６の右側に倒されて、第１のカムノーズ７１が連続巻きスイッチ５８から上方に離脱している。そのため、連続巻きスイッチ５８が閉状態から開状態に移行し、モータ４４に対する電流の供給が断たれる。それとともに、切り換えレバー６３の回動に伴い、第２のカムノーズ７２がトルク伝達部材４７の外周面に乗り上げ、トルク伝達部材４７を強制的に押し下げる。これにより、モータ４４がピボット軸４８を支点として第１の位置から第２の位置に向けて回動し、トルク伝達部材４７がスプール３４のフランジ３７ａから離脱する。よって、フランジ３７ａに作用する摩擦力が失われるので、スプール３４の自由な回転が許容され、切り換えレバー６３が第３の切り換え位置Ｐ３にある間は連続的にスプール３４からの釣り糸３５の繰り出しが可能となる。
【００３５】
切り換えレバー６３が第３の切り換え位置Ｐ３にあるときに、例えば右手ＲＨの人差し指ＲＨ２で第１の指置部２２ａを押し下げて第１の一時巻きスイッチ５９ａを閉じると、乾電池５２ａ，５２ｂからモータ４４に電流が流れて、トルク伝達部材４７が図６の矢印方向に回転する。この回転により、トルク伝達部材４７と第２のカムノーズ７２との間の接触部分に摩擦力生じる。この摩擦力により、切り換えレバー６３が軸部６３ａを中心として時計周り方向（図６の矢印方向とは反対の方向）に回転する。よって、切り換えレバー６３が第３の切り換え位置Ｐ３から第１の切り換え位置Ｐ１に自動的に復帰し、トルク伝達部材４７の外周面がスプール３４のフランジ３７ａの下面に再び接触する。この結果、第１又は第２の一時巻きスイッチ５９ａ，５９ｂが閉じている限り、スプール３４が釣り糸３５を巻き取る方向に回転する。
【００３６】
図７および図８に示すワカサギ釣り用の釣り竿３は、例えば全長が１５ｃｍ程度の短いものでよく、釣り竿３が魚釣用リール４に装着されているとき、筐体６の前端から前方に向けて水平に突き出ている。  
釣り竿３は、竿部８１と、竿部８１の基端に配設された嵌合突部８２とを備えている。竿部８１は、基材８１ａと、基材８１ａの上側に配設された送電部（給電接続部）８１ｂと、基材８１ａおよび送電部８１ｂの上側に配設された絶縁皮膜（絶縁層）８１ｃとを備えている。この実施の形態では、釣り竿３の竿部８１は３層構造である。そして、釣り竿３の竿部８１の基端部には、絶縁性を有することが好適な上述した筒状の嵌合突部８２が配設されている。さらに、竿部８１の後端（嵌合突部８２の後端）には、送電部８１ｂに電気的に接続された１対の端子（給電接続部）８１ｄが並設されている。これら端子８１ｄは、釣り竿３の嵌合突部８２と、リール４の竿受け部２７の支持孔２９とが所定の向きに嵌合されたときに、支持孔２９の最奥部の端子２９ａと電気的に接続される。すなわち、竿受け部２７の支持孔２９に釣り竿３の基端の嵌合突部８２を嵌合させた場合、端子８１ｄ，２９ａ同士を確実に電気的に接続することができる。
【００３７】
釣り竿３の基材８１ａは、例えばガラス繊維強化樹脂を用いて先端に向けて細くなる板状に形成されている。釣り竿３の基材８１ａは、ガラス繊維強化樹脂の他、竹、木材等の天然材料を用いることができる。また、釣り竿３の基材８１ａとしては、送電部８１ｂとの間の絶縁を確保することによって金属や合成樹脂（カーボン等の繊維強化樹脂を含む）を用いることもできる。この基材８１ａは、適度なしなり性を有するように、基端側（嵌合突部８２側）ほど厚肉に、先端側に向かうにつれて次第に薄肉に形成されている。
【００３８】
釣り竿３の基材８１ａの上面（一側面）には、釣り竿３の長手方向に沿って一対の送電部８１ｂが並設されている。送電部８１ｂは、釣り竿３の基材８１ａの上面に金属の送電線（金属線、金属板、蒸着やプリント等による金属薄膜など）を添設して形成している。その一対の送電部８１ｂそれぞれに通電可能に接して送電部８１ｂを跨ぐように適宜間隔を置いて略リング状の釣り糸ガイド（発熱体）８３が取り付けられている。釣り糸ガイド８３は、釣り竿３の長手方向に間隔を存して一列に並んでいる。なお、釣り竿３に設けた送電部８１ｂは例えばゴム、合成樹脂等の絶縁皮膜８１ｃで表面が覆われている。このため、釣り人が感電したり、送電部８１ｂが錆付いたりすることを防止できる。
【００３９】
釣り糸ガイド８３は例えば止め糸８４で釣り竿３の基材８１ａおよび送電部８１ｂに対して巻き付けられ接着剤（図示せず）で固定されている。釣り糸ガイド８３は、電気抵抗として作用し通電によって発熱するものなら何でも良く、主に金属でステンレス等の鉄系金属や銅や、ニクロム線を用いても良い。釣り糸ガイド８３の最外周面は、図示しないが、例えば適度な熱伝導性を有するとともに、絶縁性を有する薄い素材（例えば薄いＰＴＦＥ等）で覆われている。このため、釣り人が感電したり、釣り糸ガイド８３が錆付いたりすることを防止できる。また、釣り糸ガイド８３は、気温０℃を含む氷点下にて０℃より高く例えば６０℃以下（６０℃以下に限らず、釣り糸３５を熱で損傷させない温度）に発熱することが、釣り糸ガイド８３に付いた氷を溶かすことができるため好ましい。
【００４０】
なお、リール４の竿受け部２７の支持孔２９の１対の端子２９ａのうち、一方の端子２９ａは、負側電源ライン５５ｃを介してメインスイッチ６１に接続され、他方の端子２９ａは、正側電源ライン５３ｂに接続された正側電源ライン５３ｃに接続されている。このため、メインスイッチ６１を切り換えることにより釣り糸ガイド８３の発熱のＯＮ／ＯＦＦを切り換えることができる。  
また、図示しないが、端子２９ａは魚釣用リール４の内部に設けることが可能なサーモスタット（図示せず）等に接続されていることが好ましい。釣り具２の使用環境が氷点下である場合であっても、サーモスタットを用いることによって、釣り糸ガイド８３を０℃以上に維持するように調整できる。
【００４１】
そして、スプール３４から繰り出された釣り糸３５は、魚釣用リール４の筐体６の釣り糸ガイド３０から釣り竿３の釣り糸ガイド８３を経由して釣り竿３の先端に導かれた後、釣り竿３の先端から湖面ＬＳに開けた穴Ｈを通じて水中に沈むようになっている。  
なお、釣り糸３５の先端部には、釣針等を有する仕掛けが止着され、重りあるいは撚り戻しのようなストッパ９０（図１０参照）が取り付けられている。ストッパ９０は、釣り竿３の釣り糸ガイド８３を通過可能であるが、魚釣用リール４の釣り糸ガイド３０は通過できないような大きさを有している。
【００４２】
筐体６は後方側から手を差し出して握持され、釣り竿３を取り付けるとその重量や魚の引きにより筐体６の前方が引かれる。このため、筐体６の重心Ｇ（図１参照）は前後方向中央または中央より後端側に設けることが好ましい。このように筐体６の前後方向の中央またはそれよりも後端側に重心Ｇが配されることにより、握持した筐体６を持ち上げたときにバランスが良い。
【００４３】
釣り具２を用いて例えばワカサギを釣るに当たっては、魚釣用電動リール４の竿受け部２７の支持孔２９に対して、釣り糸ガイド８３を取り付けた釣り竿３の嵌合突部８２が着脱可能に嵌合されて用いられる。このとき、端子２９ａ，８１ｄ同士は当接されている。  
そして、釣り糸３５に仕掛けをセットした後、メインスイッチ６１を閉じてＯＮに切り換え、魚釣用リール４を釣場に設置された台１の上に置き、筐体６の上面６ａに例えば右手ＲＨを添えるように宛がう。  
このとき、乾電池５２ａ，５２ｂから正側電源ライン５３ｂ，５３ｃ、負側電源ライン５５ｃ、端子２９ａ，８１ｄを通して竿部８１の送電部８１ｂに電流（電気）を流す。すなわち、釣り糸ガイド８３に電気が流れる。このため、電気エネルギの一部が釣り糸ガイド８３によって熱エネルギに変換され、釣り糸ガイド８３が発熱する。このとき、釣り糸ガイド８３は絶縁性を有する素材で覆われているので、釣り人が釣り糸ガイド８３に直接触れることができる。
【００４４】
実際に釣りを行うため、例えば人指し指ＲＨ２で切り換えレバー６３を第３の切り換え位置Ｐ３に回動させる。この回動により、カム部６５の第２のカムノーズ７２によってトルク伝達部材４７が押し下げられ、トルク伝達部材４７がスプール３４のフランジ３７ａから離脱する。この結果、スプール３４がフリーとなり、スプール３４に巻き付けられた釣り糸３５が仕掛けにより引っ張られてスプール３４から繰り出されるとともに、仕掛けが湖面ＬＳに開けた穴Ｈから水中に沈降される。  
仕掛けが狙った水深に達したところで、例えば人指し指ＲＨ２で切り換えレバー６３を第３の切り換え位置Ｐ３から第１の切り換え位置Ｐ１に戻す。これにより、引っ張りコイルスプリング５０の付勢力によりトルク伝達部材４７がスプール３４のフランジ３７ａに押し付けられ、スプール３４の自由な回転が制限される。この結果、スプール３４からの釣り糸３５の繰り出しが停止されるので、このままの状態でアタリを待つ。  
このとき、人差し指ＲＨ２又は中指ＲＨ３でトップカバー８の第１の指置部２２ａ又は第２の指置部２２ｂを押し下げると、第１の一時巻きスイッチ５９ａ又は第２の一時巻きスイッチ５９ｂが閉じる。そのため、第１の指置部２２ａ又は第２の指置部２２ｂを押し下げている限り、スプール３４が釣り糸３５を巻き取る方向に回転するので、釣り糸３５の弛みを除去することができる。
【００４５】
仕掛けにワカサギが掛かった段階で、例えば人差し指ＲＨ２で切り換えレバー６３を第１の切り換え位置Ｐ１から第２の切り換え位置Ｐ２に回動させ、切り換えレバー６３の第１のカムノーズ７１で連続巻きスイッチ５８を閉じる。あるいは、人指し指ＲＨ２又は中指ＲＨ３でトップカバー８の第１の指置部２２ａ又は第２の指置部２２ｂを押し続けて、第１の一時巻きスイッチ５９ａ又は第２の一時巻きスイッチ５９ｂを閉じる。この結果、スプール３４がモータ４４を介して釣り糸３５を巻き取る方向に回転（正転）し、水中の仕掛けが次第に引き上げられる。  
このように仕掛けが引き上げられるのに伴って、釣り糸３５に付着した水分が釣り糸ガイド８３に付着し、水分が溜まる。外気が氷点下であっても、釣り糸ガイド８３に電気が流されているので、釣り糸ガイド８３に付着した水分が凍るのを防止している。このため、釣り糸３５の動きはスムースな状態が維持される。
【００４６】
釣り糸３５をスプール３４に巻き取っているときに、釣り糸３５の先端側に位置する重りや撚り戻しのようなストッパ９０が魚釣用リール４の直前に達すると、図１０に示すように、ストッパ９０が待機位置に保持された釣り糸ガイド３０を通過できずに、この釣り糸ガイド３０に引っ掛かる。このため、釣り糸ガイド３０が釣り糸３５の巻き取り動作に追従して待機位置から動作位置に向けて倒れ込む。釣り糸ガイド３０が動作位置に達すると、この釣り糸ガイド３０によって船べり停止スイッチ３１が開かれ、モータ４４に対する電流の供給が断たれる。この結果、釣り糸３５の巻き取りが停止され、仕掛けはスプール３４に巻き込まれることなく魚釣用リール４の直前で停止する。  
仕掛けがスプール３４の直前で停止したり、あるいは釣り人が仕掛けの引き上げを確認したら、例えば人指し指ＲＨ２で切り換えレバー６３を第２の切り換え位置Ｐ２から第１の切り換え位置Ｐ１に回動させ、スプール３４の自由な回転を制限する。最後に仕掛けを手で摘み上げて、仕掛けに掛かったワカサギを取り外す。
【００４７】
以上説明したように、この実施の形態に係る釣り具２によれば、以下の効果が得られる。  
仕掛けの上げ下げにより釣り糸３５が釣り糸ガイド８３を通過すると、釣り糸ガイド８３に付着した水分は、氷点下等、気温が低い時は通常は釣り糸ガイド８３に凍り付いてしまうのが一般的であるが、釣り糸ガイド８３に電気を流すことによって釣り糸ガイド８３に付着した水分が凍ることを防止することができる。したがって、釣り糸ガイド８３に対して釣り糸３５をスムースに通過させることができる。
【００４８】
なお、この実施の形態では、釣り竿３の釣り糸ガイド８３に電気を流す回路と電動リール４として仕掛けを上げ下ろしするための回路とを１つの回路として形成した（図１１参照）場合について説明したが、釣り竿３の釣り糸ガイド８３に電気を流す回路を、仕掛けを上げ下ろしするための回路５７とは別に設けることも好ましい。この場合、釣り糸ガイド８３に電気を流すか否か（ＯＮ／ＯＦＦ）を切り換えるスイッチを設けることが好ましい。このようにすると、気温が０℃よりも上昇した場合などの乾電池等のバッテリの消耗を防ぐことができる。そして、このように、釣り竿３の釣り糸ガイド８３に電気を流す回路を用いる場合、魚釣用リールは電動リール４ではなく、手動で用いる魚釣用リール（図示せず）を用いることができる。  
また、この実施の形態では、乾電池（電源）５２ａ，５２ｂを電動リール４に設けているが、電動リール４以外に設けても良い。ワカサギ釣り等に使用する釣り竿３とリール４を組み合わせた釣り具２以外の釣り具（例えば台１）に電源（例えば乾電池）を別途配置し、送電部８１ｂに台１の電源から電力を供給しても良い。この場合、釣り竿３や電動リール４にコネクタを設けて、台１の電源とコネクタとを図示しないコードで接続すれば良い。
【００４９】
次に、第２の実施の形態について、図１２を用いて説明する。この実施の形態は第１の実施の形態の変形例であって、第１の実施の形態で説明した部材と同一の部材には同一の符号を付し、詳しい説明を省略する。  
図１２（Ａ）に示すように、釣り竿３の筒状の嵌合突部８２の外周面には、それぞれ嵌合突部８２の外方に突出したフランジ部８２ａおよび突起部８２ｂが形成されている。突起部８２ｂはフランジ部８２ａの後ろ側に形成され、フランジ部８２ａと突起部８２ｂとは適宜の量だけ離間している。図１２（Ｂ）に示すように、魚釣用リール４の竿受け部２７の支持孔２９の内周面には、突起部８２ｂを受ける環状溝２９ｂが形成されている。すなわち、突起部８２ｂの突出量は、嵌合突部８２および／もしくは支持孔２９を弾性変形させて、支持孔２９の入り口（前端部）から環状溝２９ｂまで到達できる程度であり、フランジ部８２ａの突出量よりも小さい。
【００５０】
釣り竿３の嵌合突部８２の外周面の突起部８２ｂが、魚釣用リール４の竿受け部２７の支持孔２９の入り口に当接しているとき（第１の嵌合状態という）には、釣り竿３の嵌合突部８２と魚釣用リール４の竿受け部２７の支持孔２９との嵌合状態は釣りを行うには充分な程度である。
【００５１】
一方、釣り竿３の嵌合突部８２の外周面の突起部８２ｂを魚釣用リール４の竿受け部２７の支持孔２９の環状溝２９ｂに嵌合させた状態（第２の嵌合状態という）では、フランジ部８２ａが支持台２６の前壁に当接し、かつ、端子２９ａ，８１ｄ同士が当接している。  
このため、リール４に対する釣り竿３の嵌合状態を調整することによって、第１の嵌合状態では釣り糸ガイド８３に電気が流れるのを防止し、乾電池５２ａ，５２ｂの消耗を防ぐことができる。
【００５２】
また、第１の嵌合状態で釣りを行っている際に、外気が氷点下になった場合は、釣り糸ガイド８３に付着した水分が凍り付き、次第に釣り糸ガイド８３に対する釣り糸３５の動作が悪くなる。このような場合、第１の嵌合状態から第２の嵌合状態に切り換える。すなわち、釣り竿３の嵌合突部８２を支持孔２９に対して奥側に押し入れる。このため、端子２９ａ，８１ｄ同士が当接する。したがって、乾電池５２ａ，５２ｂから端子２９ａ，８１ｄを介して釣り糸ガイド８３に電気が流れる。このため、釣り糸ガイド８３に付着した水分が融かされ、釣り糸ガイド８３に対して釣り糸３５がスムースに動くようにすることができる。  
すなわち、気温は０℃に対して上下することがあるが、０℃よりも気温が高い場合など釣り糸ガイド８３に電気を流しておく必要はないときに、乾電池５２ａ，５２ｂの消耗を効果的に抑制できる。このとき、メインスイッチ６１をＯＦＦにしたり、乾電池５２ａ，５２ｂを取り外したりする必要はないので、魚釣用電動リール４を用いて釣りを続行することができる。
【００５３】
なお、この実施の形態では、リール４に対する釣り竿３の嵌合位置を分かり易く（明確に）するため、嵌合突部８２にフランジ部８２ａや突起部８２ｂを設ける場合について説明した。第１の実施の形態の嵌合突部８２のようにフランジ部８２ａや突起部８２ｂがなくても、充分な嵌合状態を維持しつつ、端子２９ａ，８１ｄ同士を接触しないようにすれば、第２の実施の形態で説明したように、乾電池５２ａ，５２ｂの消耗を防ぐことができるとともに、電動式の魚釣用リール４を用いることができる。
【００５４】
これまで、いくつかの実施の形態について図面を参照しながら具体的に説明したが、この発明は、上述した実施の形態に限定されるものではなく、その要旨を逸脱しない範囲で行なわれるすべての実施を含む。
【符号の説明】
【００５５】
２…釣り具、３…釣り竿、４…魚釣用リール、６…筐体、７…ロアケース、９…底壁、１１…前壁、２２ｂ…第２の指置部、２６…支持台、２７…竿受け部、２８…スプール受け部、２９…支持孔、２９ａ…端子、３０…釣り糸ガイド、３１…停止スイッチ、３５…釣り糸、８１…竿部、８１ａ…基材、８１ｂ…送電部、８１ｃ…絶縁皮膜、８１ｄ…端子、８２…嵌合突部、８３…釣り糸ガイド、８４…止め糸。
【図１】
2010220580.tif 000003
【図２】
2010220580.tif 000004
【図３】
2010220580.tif 000005
【図４】
2010220580.tif 000006
【図５】
2010220580.tif 000007
【図６】
2010220580.tif 000008
【図７】
2010220580.tif 000009
【図８】
2010220580.tif 000010
【図９】
2010220580.tif 000011
【図１０】
2010220580.tif 000012
【図１１】
2010220580.tif 000013
【図１２】
2010220580.tif 000014